(57)【特許請求の範囲】
【請求項１】
機台（１）から前方へ張り出させた支持機構部（９）の左右向き支持杆（１５) に左右一対の揺動ア−ム（１６ａ）（１６ｂ) の後端を枢着すると共に、各々の揺動ア−ム（１６ａ）（１６ｂ) の前端を、引起こし装置（２０ａ）（２０ｂ）及び刈刃装置（２１）を支持した刈取部前部（１０) の一部をなす左右向き伝動軸ケ−ス（１７）左右端部のコ字形結合部材（１７ａ）（１７ｂ）に縦向き軸（ｓ２）（ｓ２）を介してそれぞれ枢結し、二つの揺動ア−ム（１６ａ）（１６ｂ）と左右向き支持杆（１５）及び左右向き伝動軸ケ−ス（１７）とで平行リンク機構（Ｈ）を形成して刈取部前部（１０)を機台（１）に対し左右方向移動自在に装設し、その刈取部前部（１０)に左右方向の駆動力を付与するものとした左右駆動用伸縮シリンダ装置（６２）を前記左右向き支持杆（１５）の前側近傍箇所に左右向き姿勢として装着したコンバインにおいて、前記左右駆動用伸縮シリンダ装置（６２）を、前記刈刃装置（２１）の切断高さよりも高い位置で、且つ、前記平行リンク機構（Ｈ）を構成する左右向き伝動軸ケ−ス（１７）の下方部位に該伝動軸ケ−ス（１７）と重なり合わせて設けたことを特徴とするコンバイン。
【発明の詳細な説明】
【０００１】
【発明の属する技術分野】
本発明は、機台に対し左右移動可能となされた刈取部前部を備えたコンバインに関する。
【０００２】
【従来の技術】
機台から前方へ張り出させた支持機構部の左右向き支持杆に左右一対の揺動ア−ムを枢着すると共に、引起こし装置及び刈刃装置を支持した刈取部前部を、前記左右一対の揺動ア−ムを介して機台に対し左右方向の移動自在に装設し、さらに前記刈取部前部に左右方向の駆動力を付与するものとした左右駆動用伸縮シリンダ装置を設けたコンバインは存在している。
【０００３】
この種のコンバインにおいては、刈取部前部を左右移動させるための揺動ア−ム周辺の機構が比較的簡易で保守点検の行い易いものとなされているほか、揺動ア−ムの揺動に伴う摩擦力を小さくして刈取部前部を比較的少ない動力で左右移動させることのできる構造とされている。
【０００４】
【発明が解決しようとする課題】
しかし、上記した従来のコンバインでは、前記左右駆動用伸縮シリンダ装置の装着構造が複雑であり、また前記左右駆動用伸縮シリンダ装置が圃場の土や根株と接触し易いなどという問題があった。
本発明は、これらの問題点を解消し得るものとしたコンバインを提供することを目的とする。
【０００５】
【課題を解決するための手段】
上記目的を達成するため、請求項１の発明では、機台から前方へ張り出させた支持機構部の左右向き支持杆に左右一対の揺動ア−ムの後端を枢着すると共に、各々の揺動ア−ムの前端を、引起こし装置及び刈刃装置を支持した刈取部前部の一部をなす左右向き伝動軸ケ−ス左右端部のコ字形結合部材に縦向き軸を介してそれぞれ枢結し、二つの揺動ア−ムと左右向き支持杆及び左右向き伝動軸ケ−スとで平行リンク機構を形成して刈取部前部を機台に対し左右方向移動自在に装設し、さらに前記刈取部前部に左右方向の駆動力を付与するものとした左右駆動用伸縮シリンダ装置を前記左右向き支持杆の前側近傍箇所に左右向き姿勢として装着したコンバインにおいて、前記左右駆動用伸縮シリンダ装置を、前記刈刃装置の切断高さよりも高い位置で、且つ、前記平行リンク機構を構成する左右向き伝動軸ケ−スの下方部位に該伝動軸ケ−スと重なり合わせて設けた。
【０００６】
この発明によれば、前記刈取部前部の刈刃装置により植立穀稈を刈り取った後の地面に残った根株が機体の進行時に左右駆動用伸縮シリンダ装置と干渉したり、走行部が排除した圃場の土が左右駆動用伸縮シリンダ装置と干渉したり、或いは刈取部により刈り取られる穀稈の藁屑が左右駆動用伸縮シリンダ装置に引っ掛かるなどの現象が生じ難くなる。
【０００７】
【発明の実施の形態】
図１は本発明に係るコンバインの前部を示す左側面図、図２は前記コンバインの正面図、図３は前記コンバインの前部の平面図、図４は前記コンバインの刈取部の右側面図、図５は前記平行リンク機構の一部を示す左側面図、図６は前記刈取部の駆動系統を示す図、図７は前記刈取部を左右移動させるための平行リンク機構を示す平面図、図８は前記平行リンク機構を変形させるための油圧系統を示す図である。
【０００８】
本実施例のコンバインは、図１〜図４に示すように、機台１を支持した走行部２、機台１前方に位置され機台１上の特定横向き軸をなす刈取入力軸３回りの上下変位可能に形成された刈取部４、機台１上部の概ね中央に装設された脱穀部５、この脱穀部５の前方右側の機台１上に形成された操縦部６、前記脱穀部５右側の機台１上に配設された穀粒タンク７、及び、脱穀部５後方の機台１上に配設された図示しない排藁処理部を備えてなり、条植穀稈を機体の走行中に刈り取って脱穀し、こうして得られた穀粒及び切れわら等の混合物から精選された穀粒を順次に穀粒タンク７内に貯留させるように作動するものである。
【０００９】
図１及び図２に示すように、走行部２は左右一対のクロ−ラ２ａ、２ａからなっており、これら走行クロ−ラ２ａ、２ａのトラックフレ−ム８に前記機台１を支持させている。また刈取部４は、機台１の前部から前方へ張り出した状態に形成された支持機構部９と、この支持機構部９に前後向きとなされた揺動ア−ム１６ａ、１６ｂを介して機台１に対し左右移動自在に支持された刈取部前部１０とからなっている。
【００１０】
この際、支持機構部９は図１、図３及び図５に示すように、機台１上に左右一対の軸受台１１ａ、１１ｂを起立させ、これら軸受台１１ａ、１１ｂの上部に軸受を介して刈取入力軸ケ−ス１２を回動自在に支持し、この軸ケ−ス１２の長さ途中から刈取主フレ−ム１３を機台１前部から前斜め前方へ張り出させ、この刈取主フレ−ム１３と機台１との間に上下駆動用伸縮シリンダ装置１４を装架して刈取主フレ−ム１３を上下方向の揺動駆動可能となし、この刈取主フレ−ム１３の先部に左右向き支持杆１５を固定したものとなしてある。
【００１１】
そして、左右向き支持杆１５の各端部に前記揺動ア−ム１６ａ、１６ｂの後端を支点軸ｓ１を介して枢着すると共に各揺動ア−ム１６ａ、１６ｂの先端を前記刈取部前部１０の一部をなす左右向き伝動軸ケ−ス１７の左右端部に固定されたコ字形結合部材１７ａ、１７ｂに縦向き軸ｓ２、ｓ２を介して枢結して、二つの揺動ア−ム１６ａ、１６ｂと、左右向き支持杆１５及び左右向き伝動軸ケ−ス１７とで平行リンク機構Ｈを形成している。
なお、図５中、ｎはボ−ルベアリング、ｒは左右向き支持杆１５と揺動ア−ム１６ａとの間に装着された摩擦緩和用板状部材である。
【００１２】
次に刈取部前部１０について説明すると、図１及び図３に示すように、左右向き伝動軸ケ−ス１７の両端部及び中央箇所のそれぞれから前後向き刈取フレ−ム１８ａ、１８ｂ、１８ｃを前方へ張り出させ、これら前後向き刈取フレ−ム１８ａ、１８ｂ、１８ｃに前側から順に、機体左右方向で隣接した条植穀稈を分草するデバイダ１９ａ、１９ｂ、１９ｃ、分草された条植穀稈を引き起こす左右一対の引起こし装置２０ａ、２０ｂ、条植穀稈を刈り取る刈刃装置２１、及び刈り取られる前の穀稈や、刈り取られた後の穀稈（刈取穀稈）を特定箇所へ掻き込む掻込装置２２を装設したものとなしてある。
【００１３】
この際、図１及び図２に示すように、左右の各引起こし装置２０ａ、２０ｂの下端は前後向き刈取フレ−ム１８ａ、１８ｃから起立させた支持部材２３ａ、２３ｂに固定させ、また左側の引起こし装置２０ａの上部後面は左右向き伝動軸ケ−ス１７の左端から起立させた左引起こし伝動軸ケ−ス２４ａの上部に引起こし入力部２５ａを介して支持させると共に、右引起こし装置２０ｂの上部後面は左右向き伝動軸ケ−ス１７の右端から起立させた右引起こし伝動軸ケ−ス２４ｂの上部に引起こし入力部２５ｂを介して支持させ、さらに左右の引起こし装置２０ａ、２０ｂの上部間を左右方向の外力に対し十分な剛性を発揮する構造となすように正面視逆Ｕ字形の管部材２６で結合させる。そして掻込装置２２は図３に示すように、一対の掻込みベルト２７ａ、２７ｂを平面視で左右対称の前拡がり配置に設けると共に、各掻込みベルト２７ａ、２７ｂの後部下方にはそれぞれ１つのスタ−ホイル２８ａ、２８ｂを設け、これらスタ−ホイル２８ａ、２８ｂの歯部をかみ合わせたものとなす。
【００１４】
図１、図２及び図３に示すように、刈取部前部１０と脱穀部５との間には刈取部４の一部をなす縦搬送装置２９が設けてあり、この縦搬送装置２９は株元側を挟持搬送する搬送チエ−ン部３０と、穂先側を係止搬送する搬送タイン部３１とを備えている。
搬送チエ−ン部３０及び搬送タイン部３１はそれぞれの後端部を前記刈取入力軸ケ−ス１２にこの入力軸ケ−ス１２中心線回りの揺動可能で、しかも図３に示すような略縦向きの搬送駆動軸３２回りの横向き揺動可能に支持され、また前後長さ途中を図示しない支持機構部を介して刈取主フレ−ム１３と連動して上下揺動するように支持されると共に、刈取部前部１０の左右移動に連動してそれぞれの前端部ａ、ｂが左右移動するほか、これら前端部ａ、ｂが同体状となって刈取部前部１０に対し上下へ調整移動されるものとなされている。
【００１５】
図１、図３及び図４に示すように、刈取入力軸ケ−ス１２の左右長さ途中と右引起こし伝動軸ケ−ス２４ｂ上部とは伸縮作動可能となされた揺動伝動ケ−ス３４を介して連結されている。この揺動伝動ケ−ス３４は刈取入力軸ケ−ス１２の左右長さ途中に図４に示すような略縦向きの軸ｃ回りの揺動自在に係着された縦伝動ケ−ス３５と、この縦伝動ケ−ス３５から前方へ張り出させた後部伝動ケ−ス３６ａと、この後部伝動ケ−ス３６ａの前部内孔に出入り自在に内挿され且つ前端を右引起こし伝動軸ケ−ス２４ｂ上部に固定された前部伝動ケ−ス３６ｂとからなる。
【００１６】
図１及び図２に示すように、操縦部６は操縦席３７ａや操縦レバ−３７ｂのほか各種の操作レバ−等を備えたものとなされており、また３８は脱穀部５のフィ−ドチェ−ンであって、縦搬送装置２９の搬送した刈取穀稈を受け継いで搬送するように作用するものである。
【００１７】
次に刈取部４の駆動系統について説明する。図１〜図６に示すように、刈取入力軸ケ−ス１２の中心部に設けられた刈取入力軸３の右端に、機台１上に設けた図示しないエンジンの回転を伝達されるプ−リ３９を固定し、前記縦伝動ケ−ス３５の内方には、前記刈取入力軸３とベベルギャ４０ａ、４０ｂを介して連動連結された縦軸４１と、この縦軸４１に固定されたベベルギャ４２ａと、このベベルギャ４２ａに噛み合わされて回転のみ自在となされたベベルギャ４２ｂを配置し、一方では刈取入力軸ケ−ス１２の左端に張出し状且つ回転自在に接続された搬送伝動ケ−ス１２ａ（図２参照）を設け、この伝動ケ−ス１２ａの内方に刈取入力軸３を到達させ、この刈取入力軸３の左端と、縦搬送装置２９の後端部に配設された前記略縦向き駆動軸３２とをベベルギャ４３ａ、４３ｂを介して連動連結し、略縦向き駆動軸３２上端に搬送タイン部３１の入力部をなすスプロケット４４を固定し、また略縦向き駆動軸３２の下端に挟持搬送チェ−ン部３０の入力部をなすスプロケット４５を固定している。
【００１８】
また、ベベルギャ４２ｂの中心に透設された多角形摺動孔に前部伝動ケ−ス３６ｂ及び後部伝動ケ−ス３６ａ内に設けられた刈取伝動軸４６の後端部を軸方向変位のみ自在に嵌挿させると共に、刈取伝動軸４６の前端部を右引起こし伝動ケ−ス２４ｂ上部内方に設けられた右引起こし伝動軸４７ａに、ベベルギャ４８ａ、４８ｂを介して連動連結させている。
【００１９】
そして、上側右引起こし伝動軸４７ａの上端は、右側の引起し装置２０ｂの引起こし入力部２５ｂ内に設けられた右引起し駆動軸４９ｂと、ベベルギャ機構５０ｂを介して連動連結させ、一方、上側右引起し伝動軸４７ａの下端は右引起し伝動ケ−ス２４ｂの長さ途中に形成された図１に示すギャケ−スｄ内に設けられた平歯車機構５１を介して、右引起し伝動ケ−ス２４ｂの下部内に設けられた下側右引起し伝動軸４７ｂの上端と連動連結させ、次にこの下側右引起し伝動軸４７ｂの下端を、ベベルギャ機構５２を介して、左右向き伝動軸ケ−ス１７の中心部に支持された左右向き伝動軸５３の右端と連動連結させ、この伝動軸５３の長さ途中箇所と、左右向き伝動軸ケ−ス１７の長さ途中に固定した図１に示す支持伝動ケ−ス５４に設けられた下部駆動軸５５とをベベルギャ５６を介して連動連結させ、この下部駆動軸５５にネジ歯車機構５７を介して右側のスタ−ホイル２８ｂや掻込みベルト２７ｂを、そしてクランク駆動機構５８を介して刈刃装置２１を駆動するようになしている。なお、左側のスタ−ホイル２８ａや掻込みベルト２７ａは右側のスタ−ホイル２８ｂに追従して回転される。
【００２０】
さらに左右向き伝動軸５３の左端はベベルギャ機構５９を介して左引起し軸伝動ケ−ス２４ａ内の左引起し伝動軸６０の下端を連動連結させ、この左引起し伝動軸６０の上端は、
左側の引起し装置２０ａの引起こし入力部２５ａに設けられた左引起し駆動軸４９ａと、ベベルギャ６１を介して連動連結させている。
【００２１】
次に本発明に係る特徴的構成について図１〜図９を参照して説明する。図１〜図４に示すように、刈取部前部１０に左右方向の駆動変位力を付与するものとした左右駆動用伸縮シリンダ装置６２を設けるものであり、この伸縮シリンダ装置６２は左右向き支持杆１５の前側近傍箇所に左右向き姿勢として装着してある。
【００２２】
さらに詳細には図７に示すように、左右向き支持杆１５の左端近傍前面に側面視横向きＵ字状の支持部材６３を固着し、この支持部材６３に左右駆動用伸縮シリンダ装置６２のシリンダ部６２ａの基端に突設された結合片ｅを縦向き支点軸６４を介して枢着し、一方では左右駆動用伸縮シリンダ装置６２の出力部材６２ｂの先端に長さ調整可能に装着した結合部材ｆを縦向き軸部材６５を介して枢結している。
【００２３】
この左右駆動用伸縮シリンダ装置６２は直状の複動式油圧シリンダとなしてあって、その最短状態では結合部材ｆが図７中の仮想線ｇ１の位置に移動して、左右の揺動ア−ム１６ａ、１６ｂを前記平行リンク機構Ｈの作用により図７中の仮想線ｈ１、ｈ２の位置に移動させ、一方、最長状態では結合部材ｆが図７中の符号ｆで示す位置に移動して、平行リンク機構Ｈの作用により左右の揺動ア−ム１６ａ、１６ｂを図７中に符号１６ａ、１６ｂで示す位置に移動させる構成となしている。
【００２４】
この際、左右の揺動ア−ム１６ａ、１６ｂは仮想線ｈ１、ｈ２の位置に移動されたとき、刈取部前部１０を機台１に対する左右方向上の最も左位置、即ち通常の刈取を行うときの位置である基本位置（通常刈取位置）に位置させ、また符合１６ａ、１６ｂで示す位置に移動されたとき、刈取部前部１０を機台１に対する左右方向上の最も右位置、即ち畦際の刈取や、いわゆる中割りによる刈取を行うときの位置に位置させるものとなす。
【００２５】
そして、この左右駆動用伸縮シリンダ装置６２は刈刃装置２１の切断高さよりも高い位置に設けて、刈刃装置２１で刈り取られた後の圃場に残された根株と干渉しないようになしてある。
【００２６】
上記左右駆動用伸縮シリンダ装置６２と関連した作動油系統は次のようになされている。即ち、図８に示すように、図示しないエンジンで駆動される油圧ポンプから作動油を供給される供給ラインPを備えると共に、作動油タンクへ作動油を戻すための戻りラインＴとを備えている。この際、供給ラインPと戻りラインＴとは圧力調整バルブ６６を経て接続される。
【００２７】
上記供給ラインPは５方口３ポジションとなされたソレノイドバルブＳＯＬ１の１つのポ−トｐ１に接続されており、このソレノイドバルブＳＯＬ１のその他の１つのポ−トｐ２は２つの流れ調整バルブ６７、６８を経て上下駆動用伸縮シリンダ装置１４に接続され、またその他の一つのポ−トｐ３は圧力調整バルブ６９を経て戻りラインＴに接続され、またその他の１つのポ−トｐ４は４方口３ポジションとなされたソレノイドバルブＳＯＬ２の１つのポ−トｐ６に接続され、さらにその他の１つのポ−トｐ５は戻りラインＴと接続されている。
【００２８】
そしてソレノイドバルブＳＯＬ２のその他の１つのポ−トp７は２つの流れ調整バルブ７０、７１を経て左右駆動用伸縮シリンダ装置６２の一側のシリンダ室ｊ１に接続され、またその他の１つのポ−トｐ８は２つの流れ調整バルブ７２、７３を経て左右駆動用伸縮シリンダ装置６２の他側のシリンダ室ｊ２に接続され、またその他の１つのポ−トｐ９は戻りラインＴに接続されている。
【００２９】
この際、流れ調整バルブ６８、７１、７３はチェックバルブ７４と絞り孔部７５からなり、また他方の流れ調整バルブ６７、７０、７２はチェック弁７６とパイロットライン７７からなっている。また四角枠７８はバルブ回路ユニットを示しており、このバルブ回路ユニット７８は図２及び図３に示すように機台１の左側部に装着されている。
【００３０】
また図１に示すように、上記ソレノイドバルブＳＯＬ２のソレノイドを励磁させるための操作スイッチ７９は操縦席３７ａに座した運転者が操作できる位置に設けられている。
この操作スイッチ７９はこれの操作レバ−ｍを左側へ傾斜させたときに刈取部前部１０が左側へ移動し、前記操作レバ−ｍを右側へ傾斜させたときに刈取部前部１０が右側へ移動するように対応させると共に、前記操作レバ−ｍの自由状態ではバネ力で中立位置に自動復帰すると共にこの中立位置ではソレノイドバルブＳＯＬ２の左右のソレノイドが非通電状態（無励磁状態）となるように対応させる。なお、ソレノイドバルブＳＯＬ１のソレノイドを励磁させるスイッチの断続は従来同様に操縦レバ−３７ｂにて行われるようになされている。
【００３１】
上記した作動油系統の作用について説明すると、ソレノイドバルブＳＯＬ１の左右のソレノイドが無励磁のとき図８に示すようにソレノイドバルブＳＯＬ２の中央ポジションが有効となり、この状態では作動油は上下駆動用伸縮シリンダ装置１４に供給されず、この伸縮シリンダ装置１４はそのピストン及び出力部材の出入り状態をチェックバルブ７６の作用により固定された状態となり、一方では供給ラインＰを通じて作動油がソレノイドバルブＳＯＬ２に供給される。
【００３２】
この状態の下で、ソレノイドバルブＳＯＬ２の左側のソレノイドが励磁されて図８に示すようにその左ポジションが有効となっているときは、供給ラインＰの作動油は２つの流れ調整バルブ７０、７1を経て左右駆動用シリンダ装置６２の１つのシリンダ室ｊ１に供給されると共に、流れ調整バルブ７２のチェックバルブ７６がパイロットライン７７を経た油圧で開放されるため、他のシリンダ室ｊ２内の作動油は２つの流れ調整バルブ７２、７３及び戻りラインＴを経て作動油タンクに戻されるようになり、その結果、左右駆動用シリンダ装置６２は短縮作動して刈取部前部１０を機台１に対し左側に変位させる。
【００３３】
またソレノイドバルブＳＯＬ２の右側のソレノイドが励磁されてその右ポジションが有効となっているときは、供給ラインＰの作動油は２つの流れ調整バルブ７２、７３を経て左右駆動用伸縮シリンダ装置６２の前記他のシリンダ室ｊ２に供給されると共に、流れ調整バルブ７０のチェックバルブ７６がパイロットライン７７を経た油圧で開放されるため、前記１つのシリンダ室ｊ１内の作動油は２つの流れ調整バルブ７０、７１及び戻りラインＴを経て作動油タンクに戻されるようになり、その結果、左右駆動用伸縮シリンダ装置６２は伸張作動して刈取部前部１０を機台１に対し右側に変位させる。
【００３４】
さらにソレノイドバルブＳＯＬ２の左右のソレノイドが無励磁のとき、このソレノイドバルブＳＯＬ２の中央ポジションが有効になり、この状態では供給ラインＰと戻りラインＴがソレノイドバルブＳＯＬ２内で直接に連通された状態となり、従って作動油は左右駆動用伸縮シリンダ装置６２へ向けて供給されるものとならず、そのピストン及び出力部材６２ｂの出入り状態を流れ調整バルブ７０、７２の２つのチェックバルブ７６、７６の逆止作用により固定された状態となる。
【００３５】
次に他側のソレノイドバルブＳＯＬ１の左側のソレノイドが励磁されてその左ポジションが有効となっているときは、供給ラインＰの作動油はこのソレノイドバルブＳＯＬ１のポ−トｐ１から他のポ−トｐ３を経て流れ調整バルブ６９の入口側に到達し、この到達した作動油の圧力がパイロットライン７７を経て流れ調整バルブ６７のチェックバルブ７６を開放させ、上下駆動用伸縮シリンダ装置１４のシリンダ室内の作動油は戻りラインＴに流れ込むようになり、その結果、上下駆動用伸縮シリンダ装置１４は短縮作動して刈取部前部１０を機台１に対し降下変位させる。
【００３６】
一方、ソレノイドバルブＳＯＬ１の右側のソレノイドが励磁されてその右ポジションが有効となっているときは、供給ラインＰの作動油は２つの流れ調整バルブ６７、６８を経て上下駆動用伸縮シリンダ装置１４のシリンダ室に供給されると共に、圧力調整バルブ６９の入口側ライン内の作動油がソレノイドバルブＳＯＬ１のポ−トｐ３からポ−トｐ５を経て流れ調整バルブ６９の入口側に到達し、この到達した作動油の圧力がパイロットライン７７を経て戻りラインＴに戻されるようになり、その結果、上下駆動用伸縮シリンダ装置１４は伸張作動して刈取部前部１０を機台１に対し上昇させる。
【００３７】
次に上記実施例のコンバインの取扱い例及び作動を説明する。コンバインによる刈取作業中、未刈り側を左にして回り刈り作業を行うときで刈取部前部１０がその左右方向移動範囲の左端以外に位置している場合、操作スイッチ９の操作レバ−ｍを左側へ傾斜させる。
【００３８】
これにより、左右駆動用伸縮シリンダ装置６２が短縮作動し、左右の揺動ア−ム１６ａ、１６ｂがこれの後端を支持した縦軸ｓ１、ｓ１の回りの左側へ揺動し、刈取部前部１０がこれの左右方向移動範囲の左端位置である基本位置に位置した状態となる。
【００３９】
この状態となったとき、操作スイッチ７９の操作レバ−ｍを自由状態にして中立位置に復帰させる。これにより、左右駆動用伸縮シリンダ装置６２は短縮状態で固定され、刈取部前部１０は基本位置に固定される。
【００４０】
この固定状態で、いわゆる回り刈りによる収穫作業を行うと、未刈り穀稈と左側の走行クロ−ラ２ａとの間隔が大きくなり、走行クロ−ラ２ａが走行時に泥土を押し出すことなどに起因して未刈り穀稈が押し倒されるなどの事態は生じ難くなる。
【００４１】
また中割りによる刈取作業を行う場合は、操作スイッチ７９の操作レバ−ｍを右側に傾斜させるのであり、これにより、左右駆動用伸縮シリンダ装置６２が伸張作動して、左右の揺動ア−ム１６ａ、１６ｂがこれの後端を支持した縦軸Ｓ１、Ｓ１の回りの右側へ揺動し、刈取部前部１０がこれの左右方向移動範囲の右端位置に位置した状態となる。
【００４２】
この状態となったとき、操作レバ−ｍを自由状態となす。これにより、左右駆動用伸縮シリンダ装置６２は伸張状態で固定され、刈取部前部１０はこれの左右方向移動範囲の右端位置に固定される。
【００４３】
この固定状態で中割りによる刈取作業を行うと、左右端の分草板１９ａ、１９ｃが左右の走行クロ−ラ２ａ、２ａの真正面に位置し、左右の走行クロ−ラ２ａ、２ａは刈取り中に機体左右の未刈り穀稈を踏み倒すことなく機体前方の穀稈を円滑に刈り取るものとなる。
【００４４】
また畦際刈り作業を行う場合は、上記に準じた操作を行うことにより、刈取部前部１０を畦側の左右移動範囲の終端位置まで移動させるのであり、これにより畦側の走行クロ−ラ２ａが畦に乗り上げることなく畦際の穀稈が刈取部前部で円滑に刈り取られるものとなる。
【００４５】
なお、引起こし装置２０ａ、２０ｂの左右位置が植生した穀稈の条列に正確に合致してない場合においてこの条列と引起こし装置２０ａ、２０ｂとを正確に合致させるときとか、上記畦際刈り作業などにおいて、刈取部前部をその左右方向移動範囲の途中に固定させるときなどには、操作スイッチ９の操作レバ−ｍを左右何れかに傾斜させ、刈取部前部１０が希望する位置に到達したとき、直ちに、操作レバ−ｍを自由状態にして中立位置に位置させる。これにより、左右駆動用伸縮シリンダ装置６２がその伸縮作動範囲の途中で伸縮作動を停止してそのときの長さを固定されると共に、刈取部前部がその左右移動範囲途中の特定位置に固定された状態となる。
【００４６】
【発明の効果】
上記のように構成した本発明によれば、次のような効果が得られる。即ち、請求項１に記載したものによれば、刈取部前部１０の刈刃装置２１により植立穀稈を刈り取った後の地面に残った根株が機体１の進行時に左右駆動用伸縮シリンダ装置６２と干渉したり、走行部が排除した圃場の土が左右駆動用伸縮シリンダ装置６２と干渉したり、或いは刈取部４により刈り取られる穀稈の藁屑が左右駆動用伸縮シリンダ装置６２に引っ掛かるなどの現象を防止することができる。
【００４７】
なお、前記左右駆動用伸縮シリンダ装置６２の一端を前記左右向き支持杆１５に、他端を左右何れかの前記揺動ア−ム１６ａ、１６ｂの長さ途中に枢着した構成となすことによって、刈取部前部１０を従来のコンバインの構造を有効に利用した簡易な構造により確実に左右変位させることができ、また既存コンバインの空きスペ−スを左右駆動用伸縮シリンダ装置６２の装着スペ−スとして有効に利用することができ、さらに左右駆動用伸縮シリンダ装置６２をコンパクトに装着できるほか、油圧系統を左右向き支持杆１５などの刈取部構造部材に支持させることで容易に装設することができる。
【００４８】
また、前記左右駆動用伸縮シリンダ装置６２を前記刈刃装置の切断高さよりも高い位置に設けてあり、前記左右駆動用伸縮シリンダ装置６２が前記刈取部前部１０を左右方向の任意位置に移動させ固定状態に保持するように作動する構成となすことにより、刈取部前部１０を任意な左右位置に固定させる構造を形成する上で、左右駆動用伸縮シリンダ装置６２周りの構造の複雑化を回避することができる。
【図面の簡単な説明】
【図１】  本発明に係るコンバインの前部を示す左側面図である。
【図２】  前記コンバインの正面図である。
【図３】  前記コンバインの前部の平面図である。
【図４】  前記コンバインの刈取部の右側面図である。
【図５】  前記平行リンク機構の一部を示す左側面図である。
【図６】  前記刈取部の駆動系統を示す図である。
【図７】  前記刈取部を左右移動させるための平行リンク機構を示す平面図である。
【図８】  前記平行リンク機構を変形させるための油圧系統を示す図である。
【符号の説明】
１  機台
９  支持機構部
１０  刈取部前部
１５  左右向き支持杆
１６ａ  揺動ア−ム
１６ｂ  揺動ア−ム
２０ａ  引起こし装置
２０ｂ  引起こし装置
２１  刈刃装置
６２  左右駆動用伸縮シリンダ装置
【図１】
0003847202.tif 000002
【図２】
0003847202.tif 000003
【図３】
0003847202.tif 000004
【図４】
0003847202.tif 000005
【図５】
0003847202.tif 000006
【図６】
0003847202.tif 000007
【図７】
0003847202.tif 000008
【図８】
0003847202.tif 000009